(57)【要約】      （修正有）【課題】切開部ウィンドウの面積を低減し、外科医の使用を促進させ、外科的効率を改善する超音波骨刀ビットを提供する。【解決手段】超音波骨刀ビットは、ビットバー１とビット本体部と超音波骨刀ビットの前方端部に配置されるビット研削部分２とを含む。ビット研削部分は三角錐の形状で、三角錐の底部面はビット研削部分の後方端部であり、底部面に直接面する三角錐の先端部はビット研削部分の前方端部である。ビットバーの一端部はビット研削部分の後方端部に接続され、他端部はビット本体部に接続される。三角錐の３つの横方向角錐面の２つは第１の研削面２１Ａ、第２の研削面として各々使用される。超音波骨刀ビットで通常の骨研削動作が完了され、前方端部は小面積故に研削速度は高い。小前方端部は大後方端部の設計により良好な視野を外科医に提供する。完全Ｖ字形状の構造により研削後ヒンジ側骨溝部が任意動作角度で閉Ｖ字形状の溝部の形成を保証可能である。【選択図】図３
0003229242.tif 000002
【実用新案登録請求の範囲】
【請求項１】
超音波骨刀ビットであって、前記超音波骨刀ビットは、ビットバー（１）と、ビット本体部（３）と、ビット研削部分（２）とを含み、前記ビット研削部分（２）は、前記超音波骨刀ビットの前方端部に位置付けされており、
前記ビット研削部分（２）は、三角錐の形状になっており、前記三角錐の底部面は、前記ビット研削部分（２）の後方端部であり、前記底部面に直接的に面する前記三角錐の先端部は、前記ビット研削部分（２）の前方端部であり、前記ビットバー（１）の一方の端部は、前記ビット研削部分（２）の前記後方端部に接続されており、前記ビットバー（１）の他方の端部は、前記ビット本体部（３）に接続されており、前記三角錐の３つの横方向角錐面のうちの２つは、第１の研削面（２１Ａ）および第２の研削面（２１Ｂ）としてそれぞれ使用される、超音波骨刀ビット。
【請求項２】
研削縁部（２４）が、前記第１の研削面（２１Ａ）と前記第２の研削面（２１Ｂ）との間に形成されており、前記第１の研削面（２１Ａ）の上において、前記研削縁部（２４）の上の任意の２つのポイントから前記研削縁部（２４）に面する第１のベース頂点（２１１Ａ）への距離は、互いにおおよそ等しくなっており、
前記第２の研削面（２１Ｂ）の上において、前記研削縁部（２４）の上の任意の２つのポイントから前記研削縁部（２４）に面する第２のベース頂点（２１１Ｂ）への距離は、互いにおおよそ等しくなっている、請求項１に記載の超音波骨刀ビット。
【請求項３】
前記研削縁部（２４）の上の任意のポイントから前記第１のベース頂点（２１１Ａ）への距離は、前記ポイントから前記第２のベース頂点（２１１Ｂ）への距離に実質的に等しくなっている、請求項２に記載の超音波骨刀ビット。
【請求項４】
前記研削縁部（２４）の前方部分は、滑らかで平坦な表面またはわずかに上昇した湾曲した表面であり、前記第１の研削面（２１Ａ）および／または前記第２の研削面（２１Ｂ）は、外向きに突出する円弧形状の面であり、滑らかな円弧移行部が、前記第１の研削面（２１Ａ）と前記第２の研削面（２１Ｂ）との間に設けられている、請求項２に記載の超音波骨刀ビット。
【請求項５】
前記第１の研削面（２１Ａ）および／または前記第２の研削面（２１Ｂ）は、複数の研削溝部（２２）、やすり歯（２３）、またはギザギザのある歯が設けられている、請求項１に記載の超音波骨刀ビット。
【請求項６】
前記研削溝部（２２）は、特定の幅を有しており、前記研削溝部（２２）の縁部は、逆ファイン縁部を設けられている、請求項５に記載の超音波骨刀ビット。
【請求項７】
前記超音波骨刀ビットは、中空の液体注入チャネル（１０）をさらに含み、前記中空の液体注入チャネル（１０）は、前記ビットバー（１）の他方の端部から前記ビット研削部分（２）へ前記ビットバー（１）の中心線の方向に通っており、前記ビット研削部分（２）は、横断方向の液体ガイドチャネル（２０）を設けられており、前記横断方向の液体ガイドチャネル（２０）は、前記ビットバー（１）に対して実質的に垂直の軸線に沿って横断方向に通っており、前記横断方向の液体ガイドチャネル（２０）は、前記中空の液体注入チャネル（１０）と連通した状態になっており、前記横断方向の液体ガイドチャネル（２０）は、前記第１の研削面（２１Ａ）および前記第２の研削面（２１Ｂ）の中に開口部を形成している、請求項１から６のいずれか一項に記載の超音波骨刀ビット。
【請求項８】
前記ビットバー（１）の前記中心線は、前記ビットバー（１）の一方の側に向けて曲がる曲線である、請求項７に記載の超音波骨刀ビット。
【請求項９】
前記ビット本体部（３）の前記中心線は、前記ビット本体部（３）の一方の側に向けて曲がる曲線である、請求項７に記載の超音波骨刀ビット。
【請求項１０】
前記ビットバー（１）と前記ビット本体部（３）との間のジョイントは、前記ビット本体部（３）から前記ビットバー（１）へ徐々に低減するテーパー付きの面になっている、請求項１に記載の超音波骨刀ビット。
【考案の詳細な説明】
【技術分野】
【０００１】
本開示は、医療用器具の技術分野に関し、とりわけ、超音波骨刀ビット（ｕｌｔｒａｓｏｎｉｃ  ｏｓｔｅｏｔｏｍｅ  ｂｉｔ）に関する。
【背景技術】
【０００２】
整形外科手術において、超音波骨刀が、骨に対して、カッティング、研削、シェービング、スクレイピング、または、任意の成形を実施するために使用されることが多い。骨研削のために現在使用されている超音波骨刀ビットのほとんどは、正方形または円形になっている。図１は、先行技術における円形の超音波骨刀ビットを示しており、それは、ビット本体部３’と、ビットバー１’と、円形のビット研削部分２’とを含む。超音波骨刀ビットは、横方向の側部に歯が設けられており、摩擦エリアおよび抵抗を増加させ、カッティング効率をさらに改善させる。
【０００３】
脊椎外科手術においてそのような超音波骨刀ビットを適用することは、以下の問題を有する：研削した後の骨の面が、平坦な正方形または円形の形状のものであり、溝部を形成することおよび骨を研削することを必要とする動作において、除去されることになる骨の量が大きくなり、動作速度が遅くなるようになっているということ；ならびに、頸椎のシングル・ドアー・ラミノプラスティー（ｓｉｎｇｌｅ−ｄｏｏｒ  ｌａｍｉｎｏｐｌａｓｔｙ）などのような、特定の動作において、ヒンジ側の研削の間に、その形状に起因して、研削した後の骨の面は、閉じられたときに密接に接触した状態になることができず、それは、患者の治癒時間を増加させ、形成されたキャビティーの中にいくつかの他の合併症を誘発させる傾向があるということ。
【考案の概要】
【課題を解決するための手段】
【０００４】
本開示の目的は、超音波骨刀ビットであって、超音波骨刀ビットは、ビットバーと、ビット本体部と、ビット研削部分とを含み、ビット研削部分は、超音波骨刀ビットの前方端部に位置付けされている、超音波骨刀ビットを提供することである。ビット研削部分は、三角錐の形状になっており、三角錐の底部面は、ビット研削部分の後方端部であり、底部面に直接的に面する三角錐の先端部は、ビット研削部分の前方端部である。ビットバーの一方の端部は、ビット研削部分の後方端部に接続されており、ビットバーの他方の端部は、ビット本体部に接続されている。三角錐の３つの横方向角錐面のうちの２つは、第１の研削面および第２の研削面としてそれぞれ使用される。超音波骨刀ビットによって、通常の骨研削動作が完了され得、その前方端部は面積が小さいので、研削速度は高い。加えて、前方端部は小さいが後方端部は大きい設計に起因して、良好な視野が、外科医に提供され得る。そのうえ、独自の完全なＶ字形状の構造設計が使用されているので、外科医は、研削した後のヒンジ側における骨溝部が、任意の動作角度で完全に閉じられたＶ字形状の溝部を形成することを保証することが可能であり、それによって、切開部ウィンドウの面積を低減させ、外科医による使用を促進させ、外科的な効率を改善する。
【０００５】
本開示の超音波骨刀ビットにおいて、研削縁部が、第１の研削面と第２の研削面との間に形成されており、第１の研削面の上において、研削縁部の上の任意の２つのポイントから研削縁部に面する第１のベース頂点への距離は、互いにおおよそ等しくなっており、第２の研削面の上において、研削縁部の上の任意の２つのポイントから研削縁部に面する第２のベース頂点への距離は、互いにおおよそ等しくなっているということが好適である。
【０００６】
本開示の超音波骨刀ビットにおいて、研削縁部の上の任意のポイントから第１のベース頂点への距離は、ポイントから第２のベース頂点への距離に実質的に等しくなっているということが好適である。
【０００７】
本開示の超音波骨刀ビットにおいて、研削縁部の前方部分は、滑らかで平坦な表面またはわずかに上昇した湾曲した表面であり、第１の研削面および／または第２の研削面は、外向きに突出する円弧形状の面であり、滑らかな円弧移行部が、第１の研削面と第２の研削面との間に設けられているということが好適である。
【０００８】
本開示の超音波骨刀ビットにおいて、第１の研削面および第２の研削面は、複数の研削溝部、やすり歯、またはギザギザのある歯が設けられているということが好適である。
本開示の超音波骨刀ビットにおいて、研削溝部は、特定の幅を有しており、研削溝部の縁部は、逆ファイン縁部（ｒｅｖｅｒｓｅ  ｆｉｎｅ  ｅｄｇｅ）を設けられているということが好適である。
【０００９】
本開示の超音波骨刀ビットにおいて、超音波骨刀ビットは、中空の液体注入チャネルをさらに含み、中空の液体注入チャネルは、ビットバーの他方の端部からビット研削部分へビットバーの中心線の方向に沿って通っており、ビット研削部分は、横断方向の液体ガイドチャネルを設けられており、横断方向の液体ガイドチャネルは、ビットバーに対して実質的に垂直の軸線に沿って横断方向に通っており、横断方向の液体ガイドチャネルは、中空の液体注入チャネルと連通した状態になっており、横断方向の液体ガイドチャネルは、第１の研削面および第２の研削面の中に開口部を形成しているということが好適である。
【００１０】
本開示の超音波骨刀ビットにおいて、ビットバーの中心線は、ビットバーの一方の側に向けて曲がる曲線であるということが好適である。
本開示の超音波骨刀ビットにおいて、ビット本体部の中心線は、ビット本体部の一方の側に向けて曲がる曲線であるということが好適である。
【００１１】
本開示の超音波骨刀ビットにおいて、ビットバーとビット本体部との間のジョイントは、ビット本体部からビットバーへ徐々に低減するテーパー付きの面になっているということが好適である。
【００１２】
本開示の技術的解決策によれば、超音波骨刀ビットのビット研削部分を三角錐になるように設計することによって、通常の骨研削動作が完了され得、また、その前方端部は面積が小さいので、研削速度は高い。加えて、前方端部は小さいが後方端部は大きい設計に起因して、良好な視野が、外科医に提供され得る。そのうえ、独自の完全なＶ字形状の構造設計によって、外科医は、研削した後のヒンジ側における骨溝部が、任意の動作角度で完全に閉じられたＶ字形状の溝部を形成することを保証することが可能であり、それによって、ウィンドウの切開部面積を低減させ、外科医による使用を促進させ、外科的な効率を改善する。
【００１３】
本開示の特定の実施形態における、または、先行技術における技術的解決策をより明確に説明するために、特定の実施形態または先行技術の説明のために使用されることになる添付の図面が、下記に簡潔に導入されることになる。明解に、以下の説明の中の添付の図面は、本開示のいくつかの実施形態を示しており、当業者は、任意の創造的な労力なしに、これらの添付の図面から他の図面を導出することになる。
【図面の簡単な説明】
【００１４】
【図１】先行技術における超音波骨刀ビットの斜視図である。
【図２】本開示の第１の実施形態による超音波骨刀ビットの斜視図である。
【図３】本開示の第１の実施形態による超音波骨刀ビットの側面図である。
【図４】本開示の第１の実施形態による超音波骨刀ビットの上面図である。
【図５】本開示の第１の実施形態による超音波骨刀ビットの正面図である。
【図６】本開示の第２の実施形態による超音波骨刀ビットの側面図である。
【図７】本開示の第２の実施形態による超音波骨刀ビットの底面図である。
【図８】本開示の第２の実施形態による超音波骨刀ビットの正面図である。
【図９】本開示の第３の実施形態による超音波骨刀ビットの斜視図である。
【図１０】本開示の第３の実施形態による超音波骨刀ビットの側面図である。
【図１１】本開示の第３の実施形態による超音波骨刀ビットの上面図である。
【図１２】本開示の第３の実施形態による超音波骨刀ビットの底面図である。
【図１３】本開示の第４の実施形態による超音波骨刀ビットの斜視図である。
【図１４】本開示の第５の実施形態による超音波骨刀ビットの斜視図である。
【図１５】シングル・ドアー・ラミノプラスティーにおける先行技術の超音波骨刀ビットを使用した動作結果の概略ダイアグラムである。
【図１６】シングル・ドアー・ラミノプラスティーにおける本開示の超音波骨刀ビットを使用した動作結果の概略ダイアグラムである。
【考案を実施するための形態】
【００１５】
本開示の目的、技術的解決策、および利点をより明確にするために、本開示の実施形態における技術的解決策が、本開示の実施形態における図面と関連して、明確におよび完全に下記に説明されることになり、また、本明細書で説明されている特定の実施形態は、単に、本開示の例示目的のものに過ぎず、本開示を限定することは意図されていないということが理解されるべきである。説明されている実施形態は、単に、本開示の実施形態のすべてというよりもむしろ一部であるに過ぎない。本開示の実施形態に基づいて、任意の創造的な労力なしに当業者によって取得されることになるすべての他の実施形態は、本開示の保護の範囲内に入るはずである。
【００１６】
本開示の説明において、「上部」、「底部」、「前方」、「後方」、「横断方向の」、「軸線方向の」などの用語によって示されている配向関係または位置関係は、図面に示されている配向関係または位置関係に基づいており、言及されるデバイスまたはエレメントが、特定の配向を有していなければならないか、または、特定の配向で構築および動作させられなければならないということを示しているかもしくは暗示しているというよりもむしろ、本開示の説明を容易にすることおよび説明を簡単化することだけが意図されており、したがって、本開示を限定するものとして解釈されることにはならないということが留意されるべきである。
【００１７】
そのうえ、本開示の説明において、「接続する」および「接続」という用語は、別段の明示的な特定または定義がない限り、広い意味で理解されるべきであり、たとえば、それは、固定された接続、取り外し可能な接続、もしくは、一体化された接続であることが可能であり；機械的な接続もしくは電気的な接続であることが可能であり；ならびに、直接的な接続もしくは中間媒体を通した間接的な接続であることが可能であり、または、２つのエレメントの内部同士の間の連通であることが可能であるということが留意されるべきである。当業者にとって、本開示の中に上記に述べられている用語の特定の意味は、特定の環境にしたがって解釈されるべきである。
【００１８】
図２から図１４は、本開示の超音波骨刀ビットを示している。図に示されているように、本開示の超音波骨刀ビットは、ビットバー１と、ビット本体部３と、ビット研削部分２とを含み、ビット研削部分２は、超音波骨刀ビットの前方端部に位置付けされている。ビット研削部分２は、三角錐の形状になっており、三角錐の底部面は、ビット研削部分２の後方端部であり、底部面に直接的に面する三角錐の先端部は、ビット研削部分２の前方端部である。ビットバー１の一方の端部は、ビット研削部分２の後方端部に接続されており、ビットバー１の他方の端部は、ビット本体部３に接続されている。三角錐の３つの横方向角錐面のうちの２つは、第１の研削面２１Ａおよび第２の研削面２１Ｂとしてそれぞれ使用される。第１の研削面２１Ａおよび第２の研削面２１Ｂは、骨を研削するために使用される。
【００１９】
本開示によれば、超音波骨刀ビットのビット研削部分２を三角錐になるように設計することによって、通常の骨研削動作が、超音波骨刀ビットによって完了され得、そのうえ、その前方端部は面積が小さいので、研削速度は高い。加えて、前方端部は小さいが後方端部は大きいので、良好な視野が、外科医に提供され得る。そのうえ、三角錐は、複数のＶ字形状の構造体を有している。本出願の中の独自の完全なＶ字形状の構造体によって、外科医は、研削した後のヒンジ側における骨溝部が、任意の動作角度で完全に閉じられたＶ字形状の溝部を形成することを保証することが可能であり、それによって、切開部ウィンドウの面積を低減させ、外科医による使用を促進させ、外科的な効率を改善する。
【００２０】
研削縁部２４は、第１の研削面２１Ａと第２の研削面２１Ｂとの間に形成されており、研削縁部２４は、下にある組織をカットするために使用され得る。第１の研削面２１Ａの上において、研削縁部２４の上の任意の２つのポイントから研削縁部２４に面する第１のベース頂点２１１Ａへの距離は、互いにおおよそ等しくなっており、また、第２の研削面２１Ｂの上において、研削縁部２４の上の任意の２つのポイントから研削縁部２４に面する第２のベース頂点２１１Ｂへの距離は、互いにおおよそ等しくなっている。本開示の設計によれば、動作の間に、ビットが垂直方向に動作させられているかまたは水平方向に動作させられているかにかかわらず、切開部は、実質的に同じＶ字形状の切開部である。すなわち、オペレーターは、外科的動作の間にビットのカッティング方向に沿って任意の角度で研削部分を動作させることによって、カッティング溝部がすべてＶ字形状になることを保証することが可能である。加えて、骨研削の間に、力は、第１の研削面２１Ａの一方の側の研削縁部２４の上の任意のポイントにおいて、実質的に均一になっており、また、力は、第２の研削面２１Ｂの一方の側の研削縁部２４の上の任意のポイントにおいて、実質的に均一になっている。
【００２１】
研削縁部２４の上の任意のポイントから第１のベース頂点２１１Ａへの距離は、そのポイントから第２のベース頂点２１１Ｂへの距離に実質的に等しいということが好適である。そのような設計によって、骨研削の間に、力は、第１の研削面２１Ａおよび第２の研削面２１Ｂの一方の側の研削縁部２４の上の任意のポイントにおいて、実質的に均一になっている。研削縁部２４は、円弧の形状になっており、第１の研削面２１Ａの上において、円弧の中心は、第１のベース頂点２１１Ａであり、また、第２の研削面２１Ｂの上において、円弧の中心は、第２のベース頂点２１１Ｂであるということが好適である。
【００２２】
ここにおいて、第１の研削面２１Ａおよび第２の研削面２１Ｂの両方が、平坦な表面であることが可能である。すなわち、ビット研削部分２は、４つの三角形から構成される通常の三角錐の形状になっている。しかし、本開示は、それに限定されない。図２から図５は、本開示の第１の実施形態による超音波骨刀ビットを示している。ビット研削部分２は、異常な三角錐の形状になっていることが可能であり、すなわち、第１の研削面２１Ａおよび／または第２の研削面２１Ｂは、外向きに突出する円弧形状の面であることが可能であり、それによって、異なる研削状況に適合することができる。
【００２３】
実際の動作において、いくつかの骨研削動作は、下にある軟部組織を保護することを必要とする。したがって、研削縁部２４の前方部分は、滑らかで平坦な表面またはわずかに上昇した湾曲した表面であり、下にある軟部組織が損傷を受けないようになっている。図５に示されているように、底部面に直接的に面する三角錐の先端部は、また、滑らかで平坦な表面または湾曲した表面になるように構成されており、ビット研削部分２の前および下方の軟部組織が損傷を受けることをさらに防止するようになっているということがより好適である。
【００２４】
本開示の第１の実施形態では、図５に示されているように、滑らかな円弧移行部が、第１の研削面２１Ａと第２の研削面２１Ｂとの間に設けられている。したがって、超音波骨刀ビットは、使用時により安全であり、そのうえ、ビット研削部分２の前および下方の軟部組織が損傷を受けることを防止することが可能である。
【００２５】
本開示の第１の実施形態では、図２から図５に示されているように、第１の研削面２１Ａおよび／または第２の研削面２１Ｂは、複数の研削溝部２２を設けられ得る。複数の研削溝部２２は、互いに平行に配置されており、研削溝部２２は、超音波骨刀ビットの中心線に対して垂直の横断方向の溝部である。しかし、本開示は、それに限定されない。また、研削溝部２２は、超音波骨刀ビットの中心線と特定の角度を形成する斜めの溝部であることも可能である。
【００２６】
研削溝部２２は、特定の幅を有しており、研削溝部２２の縁部は、逆ファインブレード付きの縁部を設けられており、それは、研削の間のスクレイピングを促進させ、ビット研削部分２の骨研削効率を改善するということが好適である。
【００２７】
図６から図８は、本開示の第２の実施形態による超音波骨刀ビットを示している。本開示の第２の実施形態による超音波骨刀ビットは、第１の研削面２１Ａおよび／または第２の研削面２１Ｂが複数のやすり歯２３を設けられているという点においてのみ、第１の実施形態による超音波骨刀ビットとは異なっている。やすり歯２３を設けられている第１の研削面２１Ａおよび／または第２の研削面２１Ｂは、止血効果においてより良好であり、また、より安全である。しかし、本開示はそれに限定されず、２つの研削面２１は、ギザギザのある構造体を設けられ得る。
【００２８】
図９から図１２は、本開示の第３の実施形態による超音波骨刀ビットを示している。本開示の第３の実施形態による超音波骨刀ビットは、超音波骨刀ビットが中空の液体注入チャネル１０をさらに含むという点においてのみ、本開示の第１の実施形態による超音波骨刀ビットとは異なっており、中空の液体注入チャネル１０は、ビットバー１の他方の端部からビット研削部分２へビットバー１の中心線の方向に沿って通っている。ビット研削部分２は、横断方向の液体ガイドチャネル２０を設けられており、横断方向の液体ガイドチャネル２０は、ビットバー１に対して実質的に垂直の軸線に沿って横断方向に通っており、横断方向の液体ガイドチャネル２０は、中空の液体注入チャネル１０と連通した状態になっており、横断方向の液体ガイドチャネル２０は、第１の研削面２１Ａおよび第２の研削面２１Ｂの中に開口部を形成している。
【００２９】
本開示の第３の実施形態による超音波骨刀ビットでは、ビットの構造的な特性が十分に使用されており、ビットバー１の上に軸線方向の中空の液体注入チャネル１０を提供することによって、および、ビット研削部分２の上に横断方向の液体ガイドチャネル２０を提供することによって、超音波冷却液体が、中空の液体注入チャネル１０を通過し、横断方向の液体ガイドチャネル２０の開口部から流出し、超音波振動の励起によって散乱させられることなく、ビットへ十分に流れることが可能である。したがって、ビット研削部分２は、使用時に十分に冷却および洗浄される。
【００３０】
そのうえ、超音波骨刀ビットのより良好な動作角度を実現するために、本開示の第１の実施形態では、ビット研削部分２は、特定の角度でビットバー１またはビット本体部３に沿って上向きに傾斜しており、より良好な動作スペースを取得することが可能である。
【００３１】
図１３は、本開示の第４の実施形態による超音波骨刀ビットを示している。本開示の第４の実施形態による超音波骨刀ビットは、ビットバー１の中心線がビットバー１の一方の側に向けて曲がる曲線であるという点において、第１の実施形態とは異なっている。
【００３２】
図１４は、本開示の第５の実施形態による超音波骨刀ビットを示している。本開示の第５の実施形態による超音波骨刀ビットは、ビット本体部３の中心線がビット本体部３の一方の側に向けて曲がる曲線であるという点において、第４の実施形態とは異なっている。また、図１４に示されている超音波骨刀ビットは、ビット本体部３の上に、軸線方向の中空の液体注入チャネル１０および横断方向の液体ガイドチャネル２０を設けられており、また、ビット本体部３の円周方向の面の中に開口部を設けられている。超音波冷却液体の液体フローが三角錐のＶ字形状の構造体を通ってビットの上部に到達することを最も確実にするために、ビットバー１とビット本体部３との間のジョイントは、ビット本体部３からビットバー１へ徐々に低減するテーパー付きの面になっている。
【００３３】
本開示の超音波骨刀ビットでは、ビット本体部３の一方の端部は、テーパー付きの面を通してビットバー１に接続され得、ビット本体部３の他方の端部は、ネジ山付きの接続端部であり、ネジ山付きの接続端部は、ネジ山付きの接続によって特定の超音波トランスデューサーに接続され得、次いで、超音波トランスデューサーは、動作のために特定の超音波ホストに接続されている。
【００３４】
図１５は、シングル・ドアー・ラミノプラスティーにおける先行技術の超音波骨刀ビットを使用した動作結果の概略ダイアグラムを示している。図１５の中の研削動作を参照すると、頸椎のシングル・ドアー・ラミノプラスティーにおいて、ヒンジ側の研削の間に、ビット研削部分が正方形または円形になっているので、研削した後の骨の面は、閉じられたときに密接に接触した状態になることができず、それは、患者の治癒時間を増加させ、形成されたキャビティーの中にいくつかの他の合併症を誘発させる傾向がある。
【００３５】
図１６は、シングル・ドアー・ラミノプラスティーにおける本開示の超音波骨刀ビットを使用した動作結果の概略ダイアグラムを示している。図１６に示されているように、本開示の超音波骨刀ビットを使用して実施された動作の後に、研削した後の骨の面は、比較的に規則的になっており、研削した後の骨の面が、閉じられたときに密接に接触した状態になることが確保され得るようになっており、それは、創傷部の表面の高い適合性を実現し、骨の治癒を促進させ、合併症を誘発させるリスクを低減させ、外科手術の後に患者がより少ない痛みを伴って迅速に回復することを可能にする。加えて、本開示の超音波骨刀ビットの使用によって、除去されることになる骨の量は低減され、患者の治癒時間は短縮化される。
【００３６】
要約すると、本開示によれば、超音波骨刀ビットのビット研削部分２を三角錐になるように設計することによって、通常の骨研削動作が、超音波骨刀ビットによって完了され得る。また、その前方端部は面積が小さいので、研削速度は高い。加えて、前方端部は小さいが後方端部は大きい設計に起因して、良好な視野が、外科医に提供され得る。そのうえ、三角錐は、複数のＶ字形状の構造体を有している。本出願の中の独自の完全なＶ字形状の構造体によって、外科医は、研削した後のヒンジ側における骨溝部が、ビット研削方向に沿って任意の動作角度で完全に閉じられたＶ字形状の溝部を形成することを保証することが可能であり、それによって、切開部ウィンドウの面積を低減させ、外科医による使用を促進させ、外科的な効率および安全を改善する。加えて、除去されることになる骨のより少ない量に起因して、患者の治癒時間が短縮化される。
【００３７】
上記の説明は、単に、本開示の特定の実施形態に過ぎないが、本開示の保護の範囲はそれに限定されず、本開示の中に開示されている技術的範囲の中で当業者によって容易に作製される任意の変形例または置換例は、すべて、本開示の保護の範囲内に含まれることが意図されるべきである。
【符号の説明】
【００３８】
１’、１  ビットバー
２’、２  ビット研削部分
３’、３  ビット本体部
１０  中空の液体注入チャネル
２０  横断方向の液体ガイドチャネル
２１Ａ  第１の研削面
２１Ｂ  第２の研削面
２２  研削溝部
２３  やすり歯
２４  研削縁部
２１１Ａ  第１のベース頂点
２１１Ｂ  第２のベース頂点
【図１】
0003229242.tif 000003
【図２】
0003229242.tif 000004
【図３】
0003229242.tif 000005
【図４】
0003229242.tif 000006
【図５】
0003229242.tif 000007
【図６】
0003229242.tif 000008
【図７】
0003229242.tif 000009
【図８】
0003229242.tif 000010
【図９】
0003229242.tif 000011
【図１０】
0003229242.tif 000012
【図１１】
0003229242.tif 000013
【図１２】
0003229242.tif 000014
【図１３】
0003229242.tif 000015
【図１４】
0003229242.tif 000016
【図１５】
0003229242.tif 000017
【図１６】
0003229242.tif 000018
【手続補正書】
【提出日】令和2年5月14日(2020.5.14)
【手続補正１】
【補正対象書類名】実用新案登録請求の範囲
【補正対象項目名】全文
【補正方法】変更
【補正の内容】
【実用新案登録請求の範囲】
【請求項１】
超音波骨刀ビットであって、前記超音波骨刀ビットは、ビットバー（１）と、ビット本体部（３）と、ビット研削部分（２）とを含み、前記ビット研削部分（２）は、前記超音波骨刀ビットの前方端部に位置付けされており、
前記ビット研削部分（２）は、三角錐の形状になっており、前記三角錐の底部面は、前記ビット研削部分（２）の後方端部であり、前記底部面に直接的に面する前記三角錐の先端部は、前記ビット研削部分（２）の前方端部であり、前記ビットバー（１）の一方の端部は、前記ビット研削部分（２）の前記後方端部に接続されており、前記ビットバー（１）の他方の端部は、前記ビット本体部（３）に接続されており、前記三角錐の３つの横方向角錐面のうちの２つは、第１の研削面（２１Ａ）および第２の研削面（２１Ｂ）としてそれぞれ使用され、
研削縁部（２４）が、前記第１の研削面（２１Ａ）と前記第２の研削面（２１Ｂ）との間に形成されており、前記第１の研削面（２１Ａ）の上において、前記研削縁部（２４）の上の任意の２つのポイントから前記研削縁部（２４）に面する第１のベース頂点（２１１Ａ）への距離は、互いにおおよそ等しくなっており、
前記第２の研削面（２１Ｂ）の上において、前記研削縁部（２４）の上の任意の２つのポイントから前記研削縁部（２４）に面する第２のベース頂点（２１１Ｂ）への距離は、互いにおおよそ等しくなっている、超音波骨刀ビット。
【請求項２】
前記研削縁部（２４）の上の任意のポイントから前記第１のベース頂点（２１１Ａ）への距離は、前記ポイントから前記第２のベース頂点（２１１Ｂ）への距離に実質的に等しくなっている、請求項１に記載の超音波骨刀ビット。
【請求項３】
前記研削縁部（２４）の前方部分は、滑らかで平坦な表面またはわずかに上昇した湾曲した表面であり、前記第１の研削面（２１Ａ）および／または前記第２の研削面（２１Ｂ）は、外向きに突出する円弧形状の面であり、滑らかな円弧移行部が、前記第１の研削面（２１Ａ）と前記第２の研削面（２１Ｂ）との間に設けられている、請求項１に記載の超音波骨刀ビット。
【請求項４】
前記第１の研削面（２１Ａ）および／または前記第２の研削面（２１Ｂ）は、複数の研削溝部（２２）、やすり歯（２３）、またはギザギザのある歯が設けられている、請求項１に記載の超音波骨刀ビット。
【請求項５】
前記研削溝部（２２）は、特定の幅を有しており、前記研削溝部（２２）の縁部は、逆ファイン縁部を設けられている、請求項４に記載の超音波骨刀ビット。
【請求項６】
前記超音波骨刀ビットは、中空の液体注入チャネル（１０）をさらに含み、前記中空の液体注入チャネル（１０）は、前記ビットバー（１）の他方の端部から前記ビット研削部分（２）へ前記ビットバー（１）の中心線の方向に通っており、前記ビット研削部分（２）は、横断方向の液体ガイドチャネル（２０）を設けられており、前記横断方向の液体ガイドチャネル（２０）は、前記ビットバー（１）に対して実質的に垂直の軸線に沿って横断方向に通っており、前記横断方向の液体ガイドチャネル（２０）は、前記中空の液体注入チャネル（１０）と連通した状態になっており、前記横断方向の液体ガイドチャネル（２０）は、前記第１の研削面（２１Ａ）および前記第２の研削面（２１Ｂ）の中に開口部を形成している、請求項１から５のいずれか一項に記載の超音波骨刀ビット。
【請求項７】
前記ビットバー（１）の前記中心線は、前記ビットバー（１）の一方の側に向けて曲がる曲線である、請求項６に記載の超音波骨刀ビット。
【請求項８】
前記ビット本体部（３）の前記中心線は、前記ビット本体部（３）の一方の側に向けて曲がる曲線である、請求項６に記載の超音波骨刀ビット。
【請求項９】
前記ビットバー（１）と前記ビット本体部（３）との間のジョイントは、前記ビット本体部（３）から前記ビットバー（１）へ徐々に低減するテーパー付きの面になっている、請求項１に記載の超音波骨刀ビット。
【請求項１０】
前記研削縁部（２４）は、円弧の形状になっており、前記第１の研削面（２１Ａ）の上において、前記円弧の中心は、前記第１のベース頂点（２１１Ａ）であり、前記第２の研削面（２１Ｂ）の上において、前記円弧の中心は、前記第２のベース頂点（２１１Ｂ）である、請求項１に記載の超音波骨刀ビット。
【請求項１１】
前記ビット研削部分（２）は、所定の角度で前記ビットバー（１）または前記ビット本体部（３）に沿って上向きに傾斜している、請求項１に記載の超音波骨刀ビット。
【請求項１２】
前記底部面に直接的に面する前記三角錐の先端部は、滑らかで平坦な表面または湾曲した表面になるように構成されている、請求項１に記載の超音波骨刀ビット。
【請求項１３】
前記複数の研削溝部（２２）は、互いに平行に配置されており、前記研削溝部（２２）は、前記超音波骨刀ビットの中心線に対して垂直の横断方向の溝部であり、または、
前記複数の研削溝部（２２）は、前記超音波骨刀ビットの前記中心線と所定の角度を形成する斜めの溝部である、請求項４に記載の超音波骨刀ビット。
【請求項１４】
前記第１の研削面（２１Ａ）および前記第２の研削面（２１Ｂ）の両方が、平坦な表面である、請求項１に記載の超音波骨刀ビット。